(57)【特許請求の範囲】
【請求項１】
内周面の略全長に亘って雌ねじ部を形成した外筒体と、
この外筒体に装着され前記外筒体の雌ねじ部に螺合可能な雄ねじ部を外周面の下端近傍に形成した内筒体とを備えた地下構造物用筐体であって、
前記雄ねじ部の山の下面に平面視において略１２０度の間隔で１山あたり３箇所、かつすべての山について同じ位相で突出部を配置し、前記突出部を内筒体の半径方向に延びる稜線と、前記稜線を頂点として雄ねじ部の下面に向く傾斜により形成してなることを特徴とする地下構造物用筐体。
【請求項２】
前記雌ねじ部には、外筒体の軸線方向に切欠部が形成された請求項１に記載の地下構造物用筐体。
【請求項３】
前記突出部は、前記内筒体の回転に伴って回動する回転体とした請求項１または２に記載の地下構造物用筐体。
【発明の詳細な説明】
【０００１】
【発明の属する技術分野】
本発明は、内周面に雌ねじ部を形成した外筒体と、この外筒体内に装着され外筒体の雌ねじ部に螺合可能な雄ねじ部を外周面に形成した内筒体とを備えた地下構造物用筐体に関するものである。
【０００２】
【従来の技術】
従来より、地下構造物用筐体として、例えば、実公昭６１−２４６０６号公報、実公昭６３−９６５５号公報等に記載された仕切弁筐が知られている。これらの仕切弁筐は、雄ねじ部を設けた内筒体を雌ねじ部を設けた外筒体内に螺合し、内筒体を外筒体に対して回転させることで、内筒体を昇降させて嵩調整を行うようにしている。
【０００３】
【発明が解決しようとする課題】
しかし、上記した従来の仕切弁筐は、鋳物製であることからその性質上、寸法精度にバラツキが生じ易いことから、雄ねじ部の下面および雌ねじ部の上面の全面を接触させることは困難であった。
その結果、内筒体の雄ねじ部と、外筒体の雌ねじ部とが不均一に数カ所で接触した場合には、外筒体に対して内筒体ががたつき易く、安定しなかった。したがって、嵩調整して蓋本体の上面を路面高さに一致させた状態で埋設しても、仕切弁筐の周囲の土砂が緩むと車両等の通過時の衝撃で雌ねじ部および雄ねじ部が接触している部分を軸、または支点として内筒体ががたつき易いと云う問題が存在した。
【０００４】
本発明は、上記実情に鑑み提案されたもので、内筒体が外筒体に対してがたつき難く安定して支持されるようにした地下構造物用筐体を提供することを目的とする。
【０００５】
【課題を解決するための手段】
上記目的を達成するために、請求項１に記載の発明は、内周面の略全長に亘って雌ねじ部を形成した外筒体と、この外筒体に装着され前記外筒体の雌ねじ部に螺合可能な雄ねじ部を外周面の下端近傍に形成した内筒体とを備えた地下構造物用筐体であって、前記雄ねじ部の山の下面に平面視において略１２０度の間隔で１山あたり３箇所、かつすべての山について同じ位相で突出部を配置し、前記突出部を内筒体の半径方向に延びる稜線と、前記稜線を頂点として雄ねじ部の下面に向く傾斜により形成してなることを特徴としている。
【０００６】
このような構成としたことによって、内筒体が外筒体に対して３点で均等に支持されるため、内筒体を外筒体に対して安定させることができる。そのため、地下構造物用筺体を設置した状態において、車両が通過する際の衝撃で内筒体ががたつくのを防止することができる。また、突出部を、前記雄ねじ部のすべての山に同位相で形成したことによって、突出部が常時雌ねじ部に３点で当接するため、内筒体がどの高さであっても安定して支持される。
【０００８】
また、請求項２に記載の発明において、前記雌ねじ部には、外筒体の軸線方向に切欠部が形成されたことによって、内筒体と外筒体との隙間から侵入した土砂等を切欠部から下方に落とすことができるので、突出部とねじ山とを安定して接触させ、内筒体を安定して支持することができる。
【０００９】
また、請求項３に記載の発明において、前記突出部は、前記内筒体の回転に伴って回動する回転体としたことによって、内筒体を安定させることができるだけでなく、内筒体を回転する際、回転体がねじ部を転動するため、内筒体の回転をスムーズにすることができる。
【００１０】
【発明の実施の形態】
以下、一実施の形態を示す図面に基づいて本発明を詳細に説明する。図１は、本発明に係る地下構造物用筐体の一部を切り欠いた斜視図、図２は、本発明の地下構造物用筐体の内筒体を示す要部拡大正面図である。ここで、地下構造物用筐体１０は、内周面の上端から下端まで雌ねじ部１２ａを途切れることなく形成した外筒体１２と、この外筒体１２に装着され外筒体１２の雌ねじ部１２ａに螺合可能な雄ねじ部１１ａを外周面に形成した内筒体１１とを備え、この雄ねじ部１１ａの下面に突出部１３が配置されている。
【００１１】
本実施の形態において、内筒体１１は、雄ねじ部１１ａを外周面の下端近傍に途切れることなく形成しており、この雄ねじ部１１ａの下面に１山あたり３個の突出部１３を略１２０°毎に形成し、これらの突出部１３をすべての山について同じ位相としている。突出部１３は、図２に示すように、内筒体１１の半径方向に延びた稜線１３ａを有しており、この稜線１３ａを頂点として雄ねじ部１１ａの下面に向けて傾斜させている。したがって、内筒体１１を外筒体１２に螺合させた際、内筒体１１の雄ねじ部１１ａは、稜線１３ａで雌ねじ部１２ａの上面と接触する。
【００１２】
次に、以上のように構成された本発明に係る地下構造物用筐体１０の据え付け手順について説明する。先ず、道路等の設置場所に内筒体１１を収納した外筒体１２を埋設し、アンカーボルト等で固定する。次に、内筒体１１を回転させてその上端面が路面高さと一致するように調整する。この時、内筒体１１の雄ねじ部１１ａの突出部１３と外筒体１２の雌ねじ部１２ａの上面のみが接触しているので、内筒体１１をスムーズに回転することができる。
【００１３】
また、本発明では、雄ねじ部１１ａの下面に１山あたり３個の突出部１３が均等に配置されているので、内筒体１１を外筒体１２に対して安定して支持することができる。
【００１４】
なお、図３は内筒体１１の他の実施例を示すもので、突出部１３を形成した部分を除いて雄ねじ部１１ａに内筒体の軸線方向に切欠部２０を形成してもよい。切欠部２０は、１条だけでなく内筒体１１の外周に等間隔で数条形成してもよい。なお、この切欠部は、外筒体１２の雌ねじ部１２ａに形成してもよい。
【００１５】
以上のように構成した場合、内筒体１１と外筒体１２との隙間から侵入した土砂をこの切欠部２０から下方に落下させることができ、ねじ部に土砂が噛み込むのを防止できる。
【００１６】
図４〜図７は、本発明の他の実施例を示す雄ねじ部１１ａの要部拡大斜視図である。図４は、蒲鉾形の突出部１４を雄ねじ部１１ａの下面に突出させたもので、図５は先端が球形になった円錐形の突出部１５を雄ねじ部１１ａの下面に突出させたものである。これらの突出部１４，１５は、内筒体１１の平面視において略１２０度毎に形成されており、これらの突出部１４，１５の３点が外筒体１２の雌ねじ部１２ａの上面と接触するので、内筒体１１が外筒体１２に対してがたつき難く安定して支持される。
【００１７】
また、図６は、突出部を軸１６ａを中心に回転するローラ１６としたものであり、雄ねじ部１１ａの下面に形成された凹穴１７内にローラ１６の一部が突出するように収納されている。
【００１８】
さらに、図７は、突出部を、雄ねじ部１１ａの下面に形成した凹穴１９内に回転自在に収納した球体１８としたものであり、凹穴１９から球体１８の一部が突出するように収納されている。
【００１９】
以上のように構成した場合、内筒体１１は、外筒体１２に対して、ローラ１６または球体１８で当接するので、内筒体１１を安定して支持できるだけでなく円滑に回転することができる。
【００２０】
なお、以上の実施の形態では、突出部１３、１４、１５、ローラ１６、球体１８を内筒体１１の雄ねじ部１１ａの下面に形成した例について説明したが、これらを、外筒体１２の雌ねじ部１２ａの上面に形成しても同様の効果を得ることができる。また、雄ねじ部１１ａの下面には、１山あたり３個の突出部１３を平面視略１２０°毎に形成したが、１山あたり１個の突出部を形成してもよい。この場合、上段の雄ねじ部に１個の突出部を形成し、中段の雄ねじ部には上段の突出部に対して１２０°位相をずらして形成し、下段の雄ねじ部にはさらに１２０°位相をずらして形成する。
【００２１】
【発明の効果】
この発明は上記した構成からなるので、以下に説明するような効果を奏することができる。
【００２２】
請求項１に記載の発明では、内周面に雌ねじ部を形成した外筒体と、この外筒体に装着され外筒体の雌ねじ部に螺合可能な雄ねじ部を外周面に形成した内筒体とを備えた地下構造物用筐体であって、前記雌ねじ部と雄ねじ部の当接面のいずれかに平面視において略１２０度の間隔で３箇所に突出部を配置したので、内筒体が外筒体に対して３点で均等に支持されるため、内筒体を外筒体に対して安定させることができる。そのため、地下構造物用筐体を設置した状態において、車両が通過する際の衝撃で内筒体ががたつくのを防止することができる。
【００２３】
また、請求項２に記載の発明において、前記突出部は、前記雄ねじ部のすべての山に形成したことによって、内筒体が外筒体に対して常時３点で均等に支持されるため、内筒体を外筒体に対して安定させることができる。
【００２４】
また、請求項３に記載の発明において、前記雄ねじ部または雌ねじ部の少なくとも一方には、内筒体および外筒体の軸線方向に切欠部が突出部を除いて形成されたので、内筒体と外筒体との隙間から侵入した土砂等を切欠部から下方に落とすことができ、突出部とねじ山とを安定して接触させ、内筒体を安定して支持することができる。
【００２５】
また、請求項４に記載の発明において、前記突出部は、前記内筒体の回転に伴って回動する回転体であるので、内筒体を安定させるだけでなく、内筒体と外筒体との摩擦抵抗を少なくして、内筒体を円滑に回転することができ、嵩調整を容易にできる。
【図面の簡単な説明】
【図１】図１は、本発明に係る地下構造物用筐体の一部を切り欠いた斜視図である。
【図２】図２は、同地下構造物用筐体の内筒体を示す要部拡大正面図である。
【図３】図３は、内筒体の他の実施例を示す全体斜視図である。
【図４】図４は、本発明の他の実施例を示す雄ねじ部の要部拡大斜視図である。
【図５】図５は、本発明の他の実施例を示す雄ねじ部の要部拡大斜視図である。
【図６】図６は、本発明の他の実施例を示す雄ねじ部の要部拡大斜視図である。
【図７】図７は、本発明の他の実施例を示す雄ねじ部の要部拡大斜視図である。
【符号の説明】
１０      地下構造物用筐体
１１      内筒体
１１ａ    雄ねじ部
１２      外筒体
１２ａ    雌ねじ部
１３      突出部
１４      突出部
１５      突出部
１６      ローラ（突出部）
１７      凹穴
１８      球体（突出部）
１９      凹穴
２０      切欠部
【図１】
0003553037.tif 000002
【図２】
0003553037.tif 000003
【図３】
0003553037.tif 000004
【図４】
0003553037.tif 000005
【図５】
0003553037.tif 000006
【図６】
0003553037.tif 000007
【図７】
0003553037.tif 000008